(57)【要約】【課題】２次元映像と３次元映像を併用して表示する映像表示装置において、ユーザインタフェースの観点から使い勝手をよくする。【解決手段】番組情報を含む３次元映像信号または２次元映像信号のデジタル信号を入力し、３次元映像および２次元映像を表示する映像表示装置であって、番組情報を含むデジタル信号には、デジタル信号が、３次元映像信号であるか２次元映像信号であるかを示すフラグと、３次元映像信号による表示方式を示す情報と、３次元映像の開始時間を含んでいる。そして、それらの情報に基づいて、３次元映像の番組が開始する以前に、表示部に３次元映像の番組が開始することを表示する。また、切り換えた番組が３次元映像のものであるとき、その旨を表示する。【選択図】図３
2012054749.tif 000002
【特許請求の範囲】
【請求項１】
番組情報を含む３次元映像信号または２次元映像信号のデジタル信号を入力し、３次元映像および２次元映像を表示する映像表示装置において、
番組情報を含むデジタル信号を入力する入力部と、
前記３次元映像信号または２次元映像信号と前記番組情報とを分離する分離部と、
前記分離部から分離したデジタル信号をデコードするデコード部と、
前記デコード部からの画像を表示する表示部とを備え、
前記分離部から分離した番組情報を含むデジタル信号には、
前記デジタル信号が、３次元映像信号であるか２次元映像信号であるかを示すフラグと、
前記３次元映像信号による表示方式を示す情報とを含むことを特徴とした映像表示装置。
【請求項２】
前記デジタル信号は、さらに、３次元映像信号による３次元映像の開始時間を含み、
前記３次元映像信号による３次元映像の開始時間に基づいて、
３次元映像の番組が開始する以前に、前記表示部に３次元映像の番組が開始することを表示することを特徴とする請求項１記載の映像表示装置。
【請求項３】
前記デジタル信号には、３次元映像と２次元映像の双方により構成された番組であることを示す情報と、
３次元映像が挿入された期間を示す情報が付されており、
前記３次元映像が挿入された期間を示す情報に基づき、３次元映像が挿入された期間の前に、３次元映像を開始することを表示することを特徴とする請求項１記載の映像表示装置。
【請求項４】
視聴している番組を、２次元映像を表示する番組から、３次元映像を表示する番組へ切り換えたとき、
前記デジタル信号の３次元映像信号であるか２次元映像信号であるかを示すフラグと、前記３次元映像信号による表示方式を示す情報とに基づき、前記表示部に、切り換えた後の番組が、３次元映像の番組であることを表示することを特徴とする請求項１記載の映像表示装置。
【請求項５】
前記表示部に、放送番組表を表示するときに、
前記デジタル信号の３次元映像信号であるか２次元映像信号であるかを示すフラグに基づき、各々の番組が３次元映像による番組である旨を表示することを特徴とする請求項１記載の映像表示装置。
【請求項６】
映像表示装置の初期スキャン時に、
前記３次元映像信号による表示方式を示す情報に基づき、前記表示部に、各チャンネルでの３次元映像信号による表示方式を表示することを特徴とする請求項１記載の映像表示装置。
【発明の詳細な説明】
【技術分野】
【０００１】
本発明は、映像表示装置に係り、３次元映像の番組を視聴するのに好適な映像表示装置に関する。
【背景技術】
【０００２】
近年、映画館などで上映することを目的とした、３次元映像を表示する映像コンテンツが続々登場してきている。また、一般家庭で使用するテレビや携帯電話などの液晶表示装置（ＬＣＤ：Liquid Crystal Display）の分野においても、３次元映像を表示できる製品が登場し始めている。
【０００３】
映像コンテンツを３次元映像として表示する技術は、視聴者の両眼の視野の差（視差）を利用して擬似的に３次元映像に見せかける技術が知られている。
【０００４】
この技術によれば、視聴者は、３次元映像を視聴するときには、３次元映像表示用のシャッターメガネを着用する。映像コンテンツは、左目用の画像と、右目用の画像とを、１フィールド単位で切り替えて表示し、シャッターメガネの左右の切り替えを映像の切り替えタイミングに同期させる構成とすることにより、擬似的に３次元映像に見せかけている。
【０００５】
特許文献１には、時分割立体映像信号の各フィールド毎に、有効映像期間内であって、映像がモニタ面に表示される期間を除く期間に、次フィールドが左目用映像か右目用映像かを示す識別信号を挿入しておき、時分割立体映像信号を再生する際に、識別信号に基づいて次フィールドが左目用映像か右目用映像かを判別する時分割立体映像信号の左右映像判別方法が開示されている。
【０００６】
また、特許文献２には、入力される映像信号を比較して２Ｄ映像信号又は立体映像信号であるかを判定し、配置されている光源装置の発光パターンを制御することで、２Ｄ映像表示と立体映像表示を高解像で見やすく表示することのできる２Ｄ映像／立体映像互換型の立体映像表示装置が開示されている。
【先行技術文献】
【特許文献】
【０００７】
【特許文献１】特開平９−１１６９３１号公報
【特許文献２】特開２００７−６５０６７号公報
【発明の概要】
【発明が解決しようとする課題】
【０００８】
このような技術を利用した表示装置で視聴する場合に、映像信号が３次元映像に対応した映像コンテンツか否かを視聴者に通知させ、シャッターメガネを着用させる必要がある。例えば、光ディスクや、磁気ディスクに予め記録されている映像コンテンツを視聴する場合は、３次元映像に対応していることを視聴者は認知できるが、デジタル放送や、インターネットで配信されてくる映像コンテンツを視聴するときは、視聴する映像コンテンツが、３次元映像に対応した映像コンテンツか否かを、予め確認した上で、視聴する必要があり、使い勝手がよくない。
【０００９】
上記特許文献１および特許文献２に記載の技術によると、表示装置自体は、視聴する映像コンテンツが、３次元映像であるか２次元映像であるかを認識することができるが、視聴者に対しては、どちらの映像コンテンツであるかを通知することができないという問題点がある。
【００１０】
また、３次元映像の表示方法が、放送局や配信先ごとに異なる方式を使用していた場合にも、視聴者にシャッターメガネを必要とするのか、必要としないのかを通知することができないため、ユーザインタフェースの観点から使い勝手がよくないという問題点があった。
【００１１】
本発明は、上記問題点を解決するためになされたもので、その目的は、２次元映像と３次元映像を併用して表示する映像表示装置において、ユーザインタフェースの観点から使い勝手のよい映像表示装置を提供することにある。
【課題を解決するための手段】
【００１２】
本発明の映像表示装置は、番組情報を含む３次元映像信号または２次元映像信号のデジタル信号を入力し、３次元映像および２次元映像を表示する映像表示装置であって、番組情報を含むデジタル信号を入力する入力部と、３次元映像信号または２次元映像信号と番組情報とを分離する分離部と、分離部から分離したデジタル信号をデコードするデコード部と、デコード部からの画像を表示する表示部とを備えている。
【００１３】
そして、分離部から分離した番組情報を含むデジタル信号には、デジタル信号が、３次元映像信号であるか２次元映像信号であるかを示すフラグと、３次元映像信号による表示方式を示す情報とを含んでいる。
【００１４】
また、デジタル信号は、さらに、３次元映像信号による３次元映像の開始時間を含んでおり、３次元映像信号による３次元映像の開始時間に基づいて、３次元映像の番組が開始する以前に、表示部に３次元映像の番組が開始することを表示する。
【００１５】
さらに、コマーシャルなどの３次元映像が挿入された期間を示す情報が付されており、３次元映像が挿入された期間を示す情報に基づき、３次元映像が挿入された期間の前に、３次元映像の開始を表示するようにしてもよい。
【００１６】
また、視聴している番組を、２次元映像を表示する番組から、３次元映像を表示する番組へ切り換えたとき、デジタル信号の３次元映像信号であるか２次元映像信号であるかを示すフラグと、３次元映像信号による表示方式を示す情報とに基づき、表示部に、切り換えた後の番組が、３次元映像の番組であることを表示する。
【００１７】
また、ＥＰＧ表示時に、その番組が３次元映像の番組であることを表示する。
【００１８】
さらに、映像表示装置の初期スキャン時に、３次元映像信号による表示方式を示す情報に基づき、表示部に、各チャンネルでの３次元映像信号による表示方式を表示する。
【００１９】
この構成の映像表示装置により、例えば視聴者は、次に視聴する映像コンテンツが３次元映像に対応した映像コンテンツか否かを、視聴する事前に、映像表示装置から知ることができる。
【００２０】
また、別の効果として、３次元映像の表示方式が、放送局や映像コンテンツの送信元ごとに異なる場合、視聴者は、放送局や送信元ごとに、表示方式を個別に設定をおこなう必要がなくなるため、ユーザインタフェースとして使い勝手がよいものになる。
【発明の効果】
【００２１】
本発明によれば、２次元映像と３次元映像を併用して表示する映像表示装置において、ユーザインタフェースの観点から使い勝手のよい映像表示装置を提供することにある。
【図面の簡単な説明】
【００２２】
【図１】本発明の第一の実施形態に係る映像表示装置の構成を示すブロック図である。
【図２】番組情報を含むデジタル信号の構成の一例を示す図である（その一）。
【図３】本発明の第一の実施形態に係る映像表示装置に送られてくるストリームと、番組情報の表示を説明する図である。
【図４】番組情報を含むデジタル信号の構成の一例を示す図である（その二）。
【図５】本発明の第二の実施形態に係る映像表示装置に送られてくるストリームと、番組情報の表示を説明する図である。
【図６】本発明の第三の実施形態に係る映像表示装置に表示されるＥＰＧの一例を示した図である。
【図７】初期スキャンをおこなったときの映像表示装置の処理を示すフローチャートである。
【図８】初期スキャンをおこなったときの画面の表示イメージの一例を示した図である。
【発明を実施するための形態】
【００２３】
以下、本発明に係る各実施形態を、図１ないし図８を用いて説明する。
【００２４】
〔実施形態１〕
以下、本発明に係る第一の実施形態を、図１ないし図４を用いて説明する。
先ず、図１を用いて本発明の第一の実施形態に係る映像表示装置の構成について説明する。
図１は、本発明の第一の実施形態に係る映像表示装置の構成を示すブロック図である。
【００２５】
映像表示装置１００は、図１に示されるように、３次元映像ストリーム、２次元映像ストリーム、または、番組情報を含むデジタル信号を、入力端子１０１から入力し、３次元映像表示の場合には、３次元映像表示に必要な処理を施した画像を、例えば、ＬＣＤなどにより構成される表示部１０６に表示する機能を有する。
【００２６】
入力端子１０１からはデジタル放送波が入力される。このデジタル放送波は、入力部１０２でビットストリームに変換される。ビットストリームの変換は、ＲＦ（Radio Frequency）帯域の電波を復調したものでもよいし、ネットワーク回線を経由して入力したものでもよく、特に限定するものではない。デマルチプレクサ部１０３は、ビットストリームを入力して、そのビットストリームのヘッダなどを解析し、映像ストリーム、音声ストリーム、番組情報、ＥＰＧ情報、データ放送情報などに分離する。また、ストリームが暗号処理されていた場合は、復号処理をおこなう。
【００２７】
３Ｄ処理部１０４は、ＥＰＧ情報、データ放送情報などから、入力された映像ストリームが３次元映像ストリームか否かを判別する。
【００２８】
デコード部１０５は、３Ｄ処理部１０４からのストリームをデコードし、表示部１０６に出力する。表示部１０６は、３次元映像表示フォーマットにあった変換をおこない３次元映像として、ＬＣＤなどに映像を表示する。
【００２９】
入力端子１０７は、例えばリモコンの受光部などであり、ユーザーのリモコン操作を赤外線信号として受信する。ユーザーＩＦ部１０８は、赤外線信号を、例えば電気信号に変換し、ＣＰＵ１０９に通知する。ＣＰＵ１０９は、ユーザーＩＦ部１０８からの入力を受け、映像表示装置１００の各制御部の制御をおこなう。
【００３０】
次に、図２を用いて本発明の第一の実施形態に係る映像表示装置が処理するデジタル信号について説明する。
図２は、番組情報を含むデジタル信号の構成の一例を示す図である（その一）。
【００３１】
この番組を含むデジタル信号は、ＭＰＥＧ２−トランスポートストリーム(ＴＳ：Transport Stream)に含まれるＰＡＴ(Program Association Table)やＰＭＴ(Program Map Table)などと同じＴＳパケット内のセクションデータの一つとして実現される。
【００３２】
ここでは、ＰＭＴ２００内に３次元映像表示用の３次元映像表示情報２０１を挿入する。３次元映像表示情報２０１は、例えば、ＰＭＴ内の記述子領域２の拡張フラグとして定義し、ＰＡＴ内に格納された番組（映像ストリームのＰＩＤ）が、２次元映像であるか、３次元映像であるかを示す３次元映像フラグと、３次元映像であった場合には、どの表示方式に対応した３次元映像であるかを示す３次元映像方式と、３次元映像が開始する時間を示す番組開始時間などにより構成される。
【００３３】
このデジタル信号の構成によると、従来の地上デジタル放送や、ＢＳ／ＣＳデジタル放送を受信する映像表示装置と互換性を持つことが可能となる。
【００３４】
次に、図３を用いて本発明の第一の実施形態に係る映像表示装置の番組情報の表示について説明する。
図３は、本発明の第一の実施形態に係る映像表示装置に送られてくるストリームと、番組情報の表示を説明する図である。
【００３５】
図３（ａ）は、特定の放送局を選局した際に送られてくるストリームを示したものであり、２次元映像コンテンツ５０１、３次元映像コンテンツ５０２、２次元映像コンテンツ５０３の順番で送信されてくるものとする。
【００３６】
図３（ｂ）は、図３（ａ）のストリームをパケット単位で示した一例であり、映像５０４、５０７は、映像ストリームを示し、音声５０６、５０９は、音声ストリームを示し、番組情報５０５、５０８が番組情報を示している。
【００３７】
図示はされていないが、実際には、時刻情報や、文字放送情報などのデータも入力されてくる。
【００３８】
映像ストリームおよび音声ストリームは、現在視聴している映像コンテンツに対応しているが、番組情報は、事前に次の映像コンテンツの情報を含んでいる。
【００３９】
ＣＰＵ１０９は、デマルチプレクサ部１０３により、この番組情報を分離して、分離したデータから、３次元映像表示情報２０１を検出する。
【００４０】
３次元映像表示情報２０１の検出結果、図２に示した３次元映像フラグが１であった場合、番組開始時間フラグを検出し、現在の時刻情報と比較し、例えば、番組開始時間が５分以内となった時点で、図３（ｃ）に示した例のように、ＣＰＵ１０９が表示部１０６に指示を与え、次の番組が３次元映像であることを表示する。
【００４１】
その後の図３（ｃ）の表示は、視聴者のリモコン操作により、非表示にしてもよいし、一定時間たつと消去されるようにしてもよいし、次の番組が開始するまで表示してもよい。
【００４２】
また、図３（ｄ）に示すように、３次元映像コンテンツから、２次元映像コンテンツに切り替わるときには、次の番組が２次元映像に切り替わる旨を表示部１０６に表示する。
【００４３】
この番組情報を表示する効果は、視聴者が次に始まる番組が３次元映像の番組であることを事前に知ることができるため、番組の最初から３次元映像として視聴することが可能となる。したがって、３次元映像を楽しむために、シャッターメガネなどの特殊な機器が必要であるときには、この番組情報を見て準備することができる。また、視聴者による操作は発生しないため、視聴者によけいな手間をかけることもない。
【００４４】
次に、図４を用いて別の３次元映像の情報表示の例を説明する。
図４は、番組情報を含むデジタル信号の構成の一例を示す図である（その二）。
【００４５】
別の３次元映像の情報表示としては、例えば、番組情報に記載されている番組開始時間をコマーシャルの開始時間に設定することにより、番組の途中に挿入されるコマーシャルの映像のみを３次元映像に対応させることができる。このときには、図４に示されるように、３次元映像フラグには、２次元映像と３次元映像の混在という種類を用意する。また、番組開始時間と同様に形式で、図４に示されるように、コマーシャルの開始時間も定義しておく。
【００４６】
視聴者に、番組情報から検出した開始時間の手前、あるいは、コマーシャルに入る時点で、コマーシャルに３次元映像が含まれている旨を表示部１０６に通知する。
【００４７】
この処理により、視聴者は３次元映像を視聴でき、かつ、番組の提供になっているコマーシャル製作者は、３次元映像による、より印象的な宣伝を配信することができる。
【００４８】
〔実施形態２〕
以下、本発明に係る第二の実施形態を、図５を用いて説明する。
図５は、本発明の第二の実施形態に係る映像表示装置に送られてくるストリームと、番組情報の表示を説明する図である。
【００４９】
第一の実施形態では、番組が始まる前に、２次元映像か３次元映像かの番組情報を画面に表示した。
【００５０】
本実施形態は、番組を切り換えたときに、２次元映像か３次元映像かの番組情報を画面に表示するものである。
【００５１】
視聴者が、時刻７０２のタイミングでリモコン操作をおこない、図５（ａ）のＡチャンネル番組を視聴していた状態から、図５（ｂ）のＢチャンネル番組を視聴するように選局を切り換えたとする。
【００５２】
ここで、Ａチャンネル番組は、２次元映像の番組であり、選局後のＢチャンネル番組は、３次元映像の番組である。この場合においても、ＣＰＵ１０９は、デマルチプレクサ部１０３により、番組情報を分離して、分離したデータから、３次元映像表示情報２０１を検出する。
【００５３】
３次元映像表示情報２０１の３次元映像表示フラグを検出した時には、ＣＰＵ１０９は、表示部１０６に指示を与え、図５（ｄ）に示されるように、視聴している番組が３次元映像である旨を表示する。
【００５４】
このように番組情報を表示することにより、視聴者の選局に合わせて、選局先の番組が２次元映像か３次元映像かの表示を自動で通知することができ、視聴者は表示部１０６の表示内容に合わせて、シャッターメガネなどの着脱をおこなえばよく、映像表示装置のユーザインタフェースとして使い勝手がよいものになる。
【００５５】
表示部１０６の表示方法は、文章としもよいし、例えば「３Ｄ」、「２Ｄ」のような文字としてもよい。
【００５６】
また、専用のＬＥＤを搭載し、３次元映像時のみ点灯させてもよい。
【００５７】
〔実施形態３〕
以下、本発明に係る第三の実施形態を、図６を用いて説明する。
図６は、本発明の第三の実施形態に係る映像表示装置に表示されるＥＰＧの一例を示した図である。
【００５８】
本実施形態は、第一の実施形態に示したデジタル信号を利用して、ＥＰＧの番組情報として、番組が３次元映像であることを表示するものである。
【００５９】
ＥＰＧ（Electronic Program Guide）とは、放送番組表を画面などに表示する出力す出力である。
【００６０】
図６中の列６０１が番組の開始時刻を示しており、列６０２から列６０５までが、放送局ごとに入力される番組の一覧を示してする。
【００６１】
番組情報中の３次元映像表示用フラグを検出した結果をＥＰＧに反映した結果である３Ｄ表示６０６により、番組名「映画ＡＡＡ」が３次元映像の番組であることを視聴者に表示することができる。２次元映像コンテンツに対しては、特定の表示はおこなわない。
【００６２】
この効果は、視聴者に予め３次元映像の番組であることを表示部１０６の操作のみで、おこなうことができるため、例えばシャッターメガネの用意を事前にでき、映像表示装置のユーザインタフェースとして使い勝手がよいものになる。
【００６３】
〔実施形態４〕
以下、本発明に係る第四の実施形態を、図７および図８を用いて説明する。
図７は、初期スキャンをおこなったときの映像表示装置の処理を示すフローチャートである。
図８は、初期スキャンをおこなったときの画面の表示イメージの一例を示した図である。
【００６４】
本実施形態は、初期スキャンのときのチャンネル情報の一部に、３次元映像の表示方式を表示するものである。
【００６５】
初期スキャンとは、デジタル放送を受信したときに、最初にされるチャンネル設定をおこなうための処理である。
【００６６】
映像表示装置１００は、視聴者によるリモコン操作により、初期スキャンの実行が選択されることにより、初期スキャンを開始する（図７のＳ２００）。このときの表示部１０６には、図８（ａ）に示す表示をおこなう。
【００６７】
そして、映像表示装置１００は、図８（ｂ）に示すように、表示部１０６に、初期スキャンが実行中であることを表示する。
【００６８】
また、ＣＰＵ１０９は、デマルチプレクサ部１０３によりネットワーク情報を取得して、受信可能な放送局と番組情報の取得を実行する（Ｓ２０１）。
【００６９】
映像表示装置１００は、デマルチプレクサ部１０３により分離した番組情報から、３次元映像表示情報２０１の３次元映像フラグを検出し、ＣＰＵ１０９により、チャンネル毎にどの方式の３次元映像により生成されているかを判別し、ＣＰＵ１０９に接続されたメモリ（図示せず）に格納する（Ｓ２０３）。
【００７０】
そして、初期スキャンがしたときに、図８(ｃ)に示されるように、図２に示した３次元映像表示情報２０１の３次元映像方式に基づきチャンネル毎に検出した３次元映像の表示方式を表示部１０６に表示する。
【００７１】
ＣＰＵ１０９は、この検出結果に基づき、チャンネルごとに、３次元処理部１０５の制御方式を選択する。
【００７２】
視聴者は、図８（ｃ）に示す放送局毎に検出した３次元映像の表示方式の情報を使用して、操作する必要は特に生じない。
【００７３】
その後、図８（ｄ）に示されるように、通常の視聴画面に戻る。
【００７４】
この効果は、放送局ごと３次元映像の表示方式が異なった場合においても、視聴者が設定を変える操作をおこなう必要がなく、映像表示装置１００のユーザインタフェースとして使い勝手がよいものになる。
【００７５】
また、３次元映像フラグの初期スキャンの実行を、視聴者が映像表示装置１００に、地域情報を入力した後に自動でおこなってもよいし、地域情報を入力した後の、次の電源起動時に実施しても、同じ効果を得ることができる。
【符号の説明】
【００７６】
１００…映像表示装置
１０１，１０７…入力端子
１０２…入力部
１０３…デマルチプレクス部
１０４…３Ｄ処理部
１０５…デコード部
１０６…表示部
１０８…ユーザーＩＦ部
１０９…全体制御ＣＰＵ部
２００…ＰＭＴ
２０１…３次元映像表示情報
３０１，３０２，３０３…初期スキャンメニュー画面
５０１，５０３，７０１…２次元映像コンテンツストリーム
５０２…３次元映像コンテンツストリーム
５０４，５０７，５１０，５１３，５１６，５１９，５２２…映像ストリーム
５０５，５０８，５１１，５１４，５１７，５２０，５２３…番組情報デジタル信号
５０６，５０９，５１２，５１５，５１８，５２１，５２４…音声ストリーム。
【図１】
2012054749.tif 000003
【図２】
2012054749.tif 000004
【図３】
2012054749.tif 000005
【図４】
2012054749.tif 000006
【図５】
2012054749.tif 000007
【図６】
2012054749.tif 000008
【図７】
2012054749.tif 000009
【図８】
2012054749.tif 000010